(57)【要約】  送信回路は、公称上一定振幅に対応するパルスの部分において、所定の振幅情報を実際のパルス振幅情報と置換することによって、送信信号パルスの不要な振幅変調（ＡＭ）を低減する。例えば、ＧＭＳＫおよび特定の他の変調方式は、公称上平坦な中間部分を含む所望の送信パルス形状を使用する。典型的なＡＭ低減回路は、送信パルスの公称上の一定振幅部分に対応する生成されたパルス値を検出し、その位置を所定（望ましくは固定）の振幅値で置換する。このように、回路は、パルスの（通過される）可変振幅部分に対応するパルス値の検出、および、パルスの（置換値に交換される）一定振幅部分に対応する振幅値の検出に使用されるコンパレータを含み得る。この種の動作は振幅値フィルタリングを含み得、そして、この種の動作は（例えば変調モード等に依存して実行される）モード方式であっても良い。
2007537636.tif 000002
【特許請求の範囲】
【請求項１】
送信信号パルスの不要な振幅変調を低減する方法であって、該方法は、
所望の送信パルス形状に対応するフィルタされたパルス値を取得するためにデータ信号をパルス整形フィルタに通過させるステップと、
前記所望の送信パルス形状の一定振幅部分に対応するパルス値を識別し識別されたパルス値の実際の振幅情報を所定の振幅情報で置換することで、送信信号の生成の不要な振幅変調が低減された修正パルス値を取得するステップと、
を含むことを特徴とする方法。
【請求項２】
フィルタされたパルス値を取得するためにデータ信号をパルス整形フィルタに通過させる前記ステップは、送信シンボル値をデジタルパルス整形フィルタに通過させるステップを含むことを特徴とする請求項１に記載の方法。
【請求項３】
送信シンボル値をデジタルパルス整形フィルタに通過させる前記ステップは、線形化されたＧＭＳＫ（Gaussian Minimum Shift Keying）シンボル値を前記デジタルパルス整形フィルタに通過させるステップを含むことを特徴とする請求項２に記載の方法。
【請求項４】
さらに、
前記識別されたパルス値の前記所定の振幅情報による置換に先立って、修正パルス値が位相値と振幅値とを含むように、前記パルス値を対応する位相値と振幅値とに分離するステップを含むことを特徴とする請求項１に記載の方法。
【請求項５】
さらに、
送信信号の生成に先立って、前記所定の振幅情報で置換することにより生じる任意のスペクトル拡散を低減するために、前記修正パルス値の振幅値をローパスフィルタに通過させるステップを含むことを特徴とする請求項４に記載の方法。
【請求項６】
さらに、
送信信号の生成に先立って、前記修正パルス値の位相値をローパスフィルタに通過させるステップを含むことを特徴とする請求項４に記載の方法。
【請求項７】
さらに、
前記データ信号が、修正パルス値が取得されている線形化されたＧＭＳＫ（Gaussian Minimum Shift Keying）信号を含むか、あるいは、修正パルス値が取得されていない非ＧＭＳＫ信号を含むかの何れであるかに依存して、修正パルス値を取得するステップを選択的に実行するステップを含むことを特徴とする請求項１に記載の方法。
【請求項８】
さらに、
前記所定の振幅情報の置換に起因するいかなるスペクトル拡張も低減するために、送信信号の生成に先立って前記修正パルスにローパスフィルタをかけるステップを含むことを特徴とする請求項１に記載の方法。
【請求項９】
前記所望の送信パルス形状の一定振幅部分に対応するパルス値の前記識別は、定義済みの振幅閾値と関連するパルス値の振幅を監視することを含むことを特徴とする請求項１に記載の方法。
【請求項１０】
前記所望の送信パルス形状は、上昇する振幅開始部分、一定振幅の中間部分、そして、下降する振幅終了部分を含み、
前記所望の送信パルス形状の一定振幅部分に対応するパルス値の識別は、パルス値の振幅が定義済みの振幅閾値を上回るまで上昇する置換の開始点を検出し、パルス値の振幅が定義済みの振幅閾値を下回るまで下降する引き続く置換の終了点を検出するためパルス値の振幅を定義済みの振幅閾値と比較することを含むことを特徴とする請求項１に記載の方法。
【請求項１１】
識別されたパルス値の実際の振幅情報を所定の振幅情報での前記置換は、前記置換の開始点と終了点との間で発生したパルス値に対して実際のパルス振幅を所定の振幅で交換することを特徴とする請求項１０に記載の方法。
【請求項１２】
パルス値の振幅の定義済みの振幅閾値との前記比較は、前記パルス値のデジタル化された振幅を格納されたデジタル化された所望の振幅と比較することを含むことを特徴とする請求項１０に記載の方法。
【請求項１３】
さらに、
前記定義済みの振幅閾値を送信信号の生成のための所望の振幅値に設定するステップを含むことを特徴とする請求項１０に記載の方法。
【請求項１４】
電気通信の送信機に使用される送信回路であって、該送信回路は、
所望の送信パルス形状に従ってパルス値を出力するよう構成されたパルス整形フィルタからフィルタされたパルス値を受信するよう構成された処理回路を含み、
該処理回路は、さらに、所望の送信パルス形状の一定振幅部分に対応するパルス値を識別し、所定の振幅情報で識別されたパルス値の実際の振幅情報と置換することにより、送信信号の生成のために不要な振幅変調の低減を有する修正パルス値を取得するよう構成されることを特徴とする送信回路。
【請求項１５】
前記パルス値は、線形化されたＧＭＳＫ（Gaussian Minimum Shift Keying）信号パルスを表し、前記処理回路は、前記ＧＭＳＫ信号パルスの公称上一定振幅部分の振幅変調を低減するよう構成されることを特徴とする請求項１４に記載の送信回路。
【請求項１６】
前記処理回路は前記パルス値をデジタル値として受信するよう構成されることを特徴とする請求項１４に記載の送信回路。
【請求項１７】
前記処理回路は前記パルス値をデジタル位相値および対応するデジタル振幅値として受信するよう構成されることを特徴とする請求項１４に記載の送信回路。
【請求項１８】
前記処理回路は極性変調ベースの送信信号の生成での使用のため前記修正パルス値をデジタル位相値および対応するデジタル振幅値として出力するよう構成されることを特徴とする請求項１４に記載の送信回路。
【請求項１９】
前記処理回路は、前記所定の振幅情報の置換に起因するいかなるスペクトル拡張も低減するために、前記デジタル位相値および振幅値にフィルタをかけるためのローパスフィルタを含むことを特徴とする請求項１８に記載の送信回路。
【請求項２０】
前記処理回路は、前記送信回路が内包された送信機がＧＭＳＫ（Gaussian Minimum Shift Keying）信号変調モードまたは非ＧＭＳＫ信号変調モードの何れで動作しているかに依存して選択原則に基づいて修正パルス値を取得するよう構成されることを特徴とする請求項１４に記載の送信回路。
【請求項２１】
前記処理回路は、
前記所望の送信パルス形状の一定振幅部分に対応する前記パルス値を識別するためにコンパレータ回路と、
識別されたパルス値に対して前記所定の振幅情報で前記実際の振幅情報を置換する制御回路と、
を含むことを特徴とする請求項１４に記載の送信回路。
【請求項２２】
前記処理回路は、前記送信機回路が、前記送信機のモードがＧＭＳＫ（Guassian Minimum Shift Keying）信号変調モードのとき前記修正パルス値を取得し、前記送信機のモードが非ＧＭＳＫ信号変調モードのとき前記送信機回路が修正されることなく前記パルス値をパススルーで取得するように、送信機のモードに対応して選択的に前記修正パルス値を取得するよう構成されることを特徴とする請求項２１に記載の送信回路。
【請求項２３】
前記送信回路は、さらに、前記修正パルスの振幅値にフィルターをかけるために選択的にアクティブ可能なデジタルフィルタを含むことを特徴とする請求項２２に記載の送信回路。
【請求項２４】
前記所望の送信パルス形状は、上昇する振幅開始部分、一定振幅の中間部分、そして、下降する振幅終了部分を含み、
前記コンパレータ回路は、定義済みの振幅閾値を上回るパルス値の振幅を検出することにより前記中間部分に対応するパルス振幅値を認識するよう構成され、検出に対応して前記制御回路に信号を送信することを特徴とする請求項２１に記載の送信回路。
【請求項２５】
前記制御回路は、前記コンパレータ回路からの信号の送信に対応して所定の振幅値で前記パルス値の実際の振幅を置換することを特徴とする請求項２４に記載の送信回路。
【請求項２６】
無線通信のネットワークに使用される移動局であって、該移動局は、
前記ネットワークに通信信号を送信し、該ネットワークから通信信号を受信する送受信機を含み、
該送受信機は、送信信号パルスの生成に用いられるパルス値の所定の振幅情報で実際の振幅情報を選択的に置換することにより送信信号パルスの不要な振幅変調を低減するよう構成された送信回路を含む
ことを特徴とする移動局。
【請求項２７】
前記移動局は、ＧＭＳＫ信号パルスを送信するＧＭＳＫ（Gaussian Minimum Shift Keying）モードで動作するよう構成され、また、非ＧＭＳＫ信号パルスを送信する非ＧＭＳＫモードで動作するよう構成されることを特徴とする請求項２６に記載の移動局。
【請求項２８】
前記送信回路は、前記移動局が前記ＧＭＳＫモードで動作しているとき前記所定の振幅情報で置換し、前記移動局が前記非ＧＭＳＫモードで動作しているとき前記所定の振幅情報で置換ししないよう構成されることを特徴とする請求項２７に記載の移動局。
【請求項２９】
前記ＧＭＳＫモードでの動作において、前記送信回路は、前記ＧＭＳＫ信号パルスの一定振幅部分に対応する実際の振幅値に対して、送信パルス整形フィルタを介して取得した実際の振幅値の代わりに所定の振幅値で置換するよう構成されることを特徴とする請求項２７に記載の移動局。
【請求項３０】
前記送信回路は、前記移動局に含まれる送信機の一部を含んでおり、前記送信機は極性変調送信機を含んでおり、
該極性変調送信機は、対応するパルス値を取得するために送信データ信号をパルス整形フィルタに通過させ、前記パルス値を位相値および振幅値に分離することを特徴とする請求項２７に記載の移動局。
【請求項３１】
前記送信機は、前記非ＧＭＳＫモードで動作するとき前記位相値および振幅値に基づいて極性変調を介して送信信号を生成し、前記ＧＭＳＫモードで動作するとき前記所定の振幅情報による前記選択的な置換を介して前記振幅値を修正するよう構成されることを特徴とする請求項３０に記載の移動局。
【請求項３２】
送信信号パルスの不要な振幅推移を低減する方法であって、該方法は、
所望の送信パルス形状に対応する入力パルス値を取得するためにデータ信号をパルス整形フィルタに通過させるステップと、
１つ以上の前記入力パルス値に対して所定の振幅情報で実際の振幅情報を選択的に置換することにより送信信号の生成の出力パルス値を生成するステップと、
を含むことを特徴とする方法。
【請求項３３】
１つ以上の前記入力パルス値に対して所定の振幅情報で実際の振幅情報を選択的に置換することにより送信信号の生成の出力パルス値を生成する前記ステップは、
ＧＭＳＫ（Gaussian Minimum Shift Keying）転送モードでは選択的置換を実行し、非ＧＭＳＫ転送モードでは選択的置換を実行しないことを特徴とする請求項３２に記載の方法。
【請求項３４】
前記非ＧＭＳＫモードにおける前記出力パルス値の生成は、送信信号の生成のための前記出力パルス値として前記入力パルス値をパススルーすることを含むことを特徴とする請求項３３に記載の方法。
【請求項３５】
所望の送信パルス形状に対応する入力パルス値を取得するためにデータ信号をパルス整形フィルタに通過させる前記ステップは、さらに、
前記入力パルス値を入力位相値および入力振幅値に分離するステップを含むことを特徴とする請求項３２に記載の方法。
【請求項３６】
１つ以上の前記入力パルス値に対して所定の振幅情報での実際の振幅情報の選択的な置換は、
少なくとも１つの送信機動作モードにおいて、前記所望の送信パルス形状の一定振幅部分に対応する入力振幅値を識別し、識別された入力振幅に対して所定の振幅値で置換することで出力振幅値を生成することを特徴とする請求項３５に記載の方法。
【発明の詳細な説明】
【技術分野】
【０００１】
本発明は、一般に通信信号処理に関するものであり、特に生成された信号パルスの不要な振幅変調の低減に関するものである。
【背景技術】
【０００２】
通信信号送信機（例えばセルラ無線電話のその送信機または移動端末通信装置の他のタイプ）は、一つ以上の定義された通信標準またはプロトコルに従って送信信号情報を生成する。たとえば、遍在するＧＳＭ（Global System for Mobile communications）標準は、ＧＭＳＫ（Gaussian Minimum Shift Keying）送信信号変調方式を定義している。ＧＭＳＫは、信号帯域幅を制限するためにガウスフィルタを用いた非線形の連続位相ＭＳＫ変調の形式である。
【０００３】
変調方式は本質的に非線形であるにもかかわらず、ＧＭＳＫ信号は振幅変調パルスの重ね合わせとして近似され得る。したがって、”線形化された”ＧＭＳＫ信号は、同相位相（Ｉ）および直交位相（Ｑ）の信号対に基づくＱＡＭ（Quadrature Amplitude Modulation）または、同等のＯＱＰＳＫ（Offset Quadrature Phase Shift Keying）を使用して生成されることができる。線形化ＧＭＳＫ信号の生成の１つの利点は、線形変調信号処理素子を再利用することによって得られる結果として生じる効率に見出される。
【０００４】
たとえば、ＥＤＧＥ（Enhanced Data rates through GSM Evolution）標準は、８ＰＳＫ変調方式を採用することによりＧＳＭベースの網にデータレート増加のメカニズムを提供する。したがって、ＧＳＭ／ＥＤＧＥ端末は、その動作モードに従ってＧＭＳＫおよび８ＰＳＫ信号を生成することを必要とする。８ＰＳＫ変調は本質的に線形であるので、この種の端末は線形信号処理素子を含まなければならず、したがって、線形化ＧＭＳＫ信号方式を採用することによりこれらの処理素子の再利用をすることが出来る。
【発明の開示】
【発明が解決しようとする課題】
【０００５】
しかしながら、線形化ＧＭＳＫ信号生成の採用には、欠点が無いわけではない。たとえば、”リンギング”の一定量は、線形化ＧＭＳＫのＩ／Ｑ構成要素が、必要とされるパルス整形フィルタを通過（パス）することによる一般的な副作用である。すなわち、パルスマスクは、線形化ＧＭＳＫのスペクトル内容を制限する。すなわち、生成された線形化ＧＭＳＫパルスの公称上の一定振幅部分は、パルス整形フィルタによる偽信号を表す一定量の不要な振幅変調を有する。これらの偽信号は、特定の送信機のアーキテクチャの制限およびそれらの振幅に依存して有害で有るかもしれないし有害で無いかもしれない。
【０００６】
さらに一般的にいえば、ＧＭＳＫあるいはそれ以外の送信信号パルスの生成は、しばしば、オーバーシュート、アンダーシュート、リンギング、および他のパルス生成の偽信号の原因となる不完全な生成パルスを生じる。これらの偽信号によって、送信信号の生成に関して多くの問題を生じ得る。
【課題を解決するための手段】
【０００７】
本発明は、生成された送信信号パルスの不要な振幅変調を低減するための方法と装置を含む。本発明は、線形化ＧＭＳＫパルスの補償のコンテキストに特定の利点を有するかも知れないが、この種のアプリケーションに限定されない。実際、本発明は、所望のパルス形状（例えば振幅プロファイル）に従った送信パルス生成、および、形状において一定振幅部分に対応する送信パルス部分の平滑化に基づく送信信号パルスの不要な振幅変調を低減する方法を広く含む。典型的なスムージングは、所与の振幅値（例えば固定（平坦）値）を、生成されたパルスの公称上平坦である部分の範囲内の実際の振幅値と置換するすることを含んでいる。
【０００８】
上述のことを心にとめておいて、本発明のある実施例は、所望の送信パルス形状に対応するフィルタされたパルス値を得るためにデータ信号をパルス整形フィルタに通過させ、送信信号の生成に不要な振幅変調の低減を有する修正パルス値を取得することに基づく送信信号パルスの不要な振幅変調を低減するための方法を含む。修正パルスを取得する典型的な方法は、所望の送信パルス形状の一定振幅部分に対応するパルス値を識別し、所与の振幅情報を識別されたパルス値の実際の振幅情報と置換することに基づく。
【０００９】
上記の方法に加え、典型的な送信回路は、所望の送信パルス形状に従ってパルス値を出力するために構成されたパルス整形フィルタからフィルタされたパルス値を受信するよう構成される処理回路を含む。さらに、典型的な処理回路は、所望の送信パルス形状の一定振幅部分に対応するパルス値を識別し、所定の振幅情報を識別されたパルス値の実際の振幅情報と置換することにより送信信号の生成の不要な振幅変調の低減を有する修正パルス値を取得するよう構成される。
【００１０】
したがって、典型的な移動局（例えばセルラ無線電話または他の種類の移動通信デバイス）は、網に通信信号を送信し網から通信信号を受信するよう構成された送受信機を含む。本発明によれば、典型的な送受信機は、所望の送信パルス形状の一定振幅部分に対応するパルス値を識別し、所定の振幅情報を、送信された信号パルス生成するために使用された識別されたパルス値の実際の振幅情報と選択的に置換することに基づいて、送信された信号パルスの不要な振幅変調の低減するよう構成された送信回路を含む。
【００１１】
注目する送信信号パルスは線形化ＧＭＳＫパルスを含み得、その場合、所定の振幅情報は公称上一定振幅となるＧＭＳＫパルスの”中間”部分に対応するフィルタが生成した実際のパルス振幅値と置換され得る。典型的な送信回路は、信号生成に従って各々のパルスの開始および終了の傾斜部分の実際に生成されたパルス振幅値を通過させ、一方、所定の（固定の）振幅値をこの種のパルスの中間部分と置換することに基づいて送信信号生成のためのＧＭＳＫパルス値を提供するよう構成され得る。
【００１２】
しかしながら、さらに一般的にいえば、本発明は、所望の送信パルス形状に対応する入力パルス値を取得するためデータ信号をパルス整形フィルタに通過させ、所定の振幅情報を１つ以上の入力パルス値の実際の振幅情報と選択的に置換することに基づいて送信信号の生成のための出力パルス値を生成することに基づいて、送信信号パルスの不要な振幅推移を低減する方法を含む。
【発明を実施するための最良の形態】
【００１３】
図１は、本発明の１つ以上の例示的実施形態に従って構成される典型的なＡＭ低減回路１０を示す図である。回路１０は、パルス整形フィルタ１２およびさまざまな送信信号生成回路１４と接続している。動作中において、回路１０は、所望の送信パルス形状に従って生成された値の１セットを示すパルス整形フィルタ１２から入力パルス値１６を受信する。本願明細書において以降で説明するように、送信シンボル値をパルス整形フィルタ１２に通過させることにより、結果として望ましくない振幅変調の偽信号（例えば不要な振幅変調）を生じる。
【００１４】
典型的な動作において、回路１０は、入力パルス値１６の不要な振幅変調を除去するかまたは少なくとも低減することによって出力パルス値１８を生成する。そして、出力パルス値１８は、引き続く送信信号の生成において送信信号生成回路１４によって使用される。送信信号パルスの不要な振幅変調を低減するとき、回路１０は振幅の閾値および／または所望の振幅情報を受信し得る。それは、例えば、送信パルスの公称上の固定部分の平坦化のための閾値または基線の確立に使用され得る。
【００１５】
回路１０の典型的な動作は、図２Ａおよび図２Ｂによって示される。特に、図２Ａはパルス整形フィルタ１２によって課される所望の送信パルス形状（マスク）を示し、パルス値１６が含み得る、一定振幅を目的とする所望のパルス形状内にある望ましくない振幅変調を示している。当業者に公知であるように、この種の偽信号は、リンギングあるいは他のデジタルフィルタリング偽信号を示している。
【００１６】
特に、パルス整形フィルタ１２自身はパルス値１６内の不要な振幅変調を最小化するために調整され得るが、結果としてあまりに複雑なフィルタ構造となりおよび／または他のアプリケーション（線形化ＧＭＳＫパルスおよび８ＰＳＫパルスの双方を形成するための異なる転送モードを使用する場合などに使用される。）におけるパフォーマンスを損なうこととなり得る。いずれにせよ少なくとも１つの動作モードにおいて回路１０は所望の送信パルス形状に不完全に対応する入力パルス値１６を受信する。特に、回路１０は、所望の送信パルス形状の公称上一定振幅部分の範囲内で生じている振幅変調を含む送信信号パルスを示す一連の好ましくはデジタル値を受信する。
【００１７】
図２Ｂに示すように、回路１０は、所定の振幅情報を入力パルス値１６の選択されたものの実際の振幅情報と選択的に置換することに基づいて、実際の送信信号の生成において使用される出力パルス値１８を生成することによって入力パルス値１６内のこれらの不要な振幅変調を低減する。この特定の実施例において、回路１０は、所望の送信パルス形状の公称上一定振幅部分に対応する特定の入力パルス値１６を検出するかさもなくば識別し、所定の振幅情報を示す置換値で識別されたパルス値１６の実際の振幅情報を交換する。
【００１８】
したがって、実際の送信信号の生成における使用のために回路１０によって提供された出力パルス値１８は、パルス整形フィルタ１２により提供された本来生成されたパルス値１６および回路１０により決定されるかまたは回路１０に提供される置換されたパルス値の選択された組合せを示している。したがって、シンプルな言葉で言えば、回路１０は、所望の送信パルス形状の公称上一定振幅部分に対応する入力パルス値を認識して、完全に、それらを（たとえば、所望の一定の振幅値に対応する）適当な所与のパルス値と交換することによって不要な振幅変調を低減する。
【００１９】
図３は、上述の振幅情報の置換を実行し、回路１０として実装され得る典型的な処理ロジックである。なお、回路１０は、ハードウェア、ソフトウェアまたはこれらのいかなる組合せを含み得る点に留意する必要がある。このように、回路１０は、プログラム可能なマイクロプロセッサ回路、ＦＰＧＡ（Field Programmable Gate Array）、ＡＳＩＣ（Application Specific Integrated Circuit）または他タイプのデジタル処理回路を含み得る。ある具体例では、振幅変調低減は（デジタル）パルス整形フィルタ１２によって出力される生成された送信パルスを示す一連のデジタルサンプル値に対して動作することに基づいてデジタル領域において実行され、そこにおいて、生成されたパルスのデジタル的に示された振幅値は所定のデジタル振幅情報と選択的に交換される。
【００２０】
どの場合でも、典型的な処理は、送信データを対応する送信シンボルにマッピングすることにより処理が開始される。当業者は、この処理が大まかに送信される情報ビットと対応する変調値のマッピングを示すことを理解するであろう（ステップ１００）。送信シンボルは、所望の送信パルス形状従う送信パルスサンプル値を生成するためパルス整形フィルタ１２を通過させられる（ステップ１０２）。
【００２１】
回路１０は、所望の送信パルス形状の一定振幅部分に対応する生成されたパルス値を識別する（ステップ１０４）。識別された入力パルス値の各々に対しパルス整形フィルタ１２を介して生成された実際の振幅情報は、所定（例えば固定）のパルス振幅情報と交換される（ステップ１０６）。したがって、実際の送信信号の生成は、生成された送信パルスの実際の振幅情報と生成されたパルスの少なくとも一部が好ましくは固定値で置換された振幅情報の混合に基づいて実行される。
【００２２】
本発明が広い適用性を有するが、図４は移動通信デバイス３０のコンテキストの実装を示しており、それは、セルラ無線電話、携帯用のデジタル補助装置（ＰＤＡ）、パームトップ／ラップトップコンピュータ、ポケットベルおよび他方式の携帯型無線電子デバイスであるかもしれないがそれに限定されない。典型的な移動端末３０は、アンテナ３２、スイッチ／送受切換器３４、受信機３６、送信機３８、システムコントローラまたはプロセッサ４０およびユーザーインターフェース４２を含む。そして、ディスプレイ、キーボード、スピーカおよびマイクロホンを含み得る。
【００２３】
典型的な送信機３８は、上述したＡＭ低減回路１０の典型的な実装とパルス整形フィルタ１２を含む処理回路４４を備えている。ここで、送信信号生成回路１４は、送信される情報を対応する位相および振幅の情報信号に分ける極性変調のために構成される。同様に、送信信号生成回路１４は、位相変調器４６、電力増幅器（ＰＡ）４８および振幅変調器５０を含む。
【００２４】
この構成において、処理回路４４は位相変調器４６に位相情報信号を提供し、順番にＰＡ４８に固定エンベロープの位相変調された入力信号を提供する。更に処理回路４４は振幅変調器５０に振幅変調情報信号を提供し、位相変調器４６によってＰＡ４８に入力される位相変調情報に同期するＰＡ４８の無線周波数（ＲＦ）出力信号に振幅変調を与える。例示的実施形態において、振幅変調器５０は、所望の振幅変調をＰＡのＲＦ出力信号に与えるために、ＰＡ４８への入力供給電圧および／または入力電源電流を変調する。極性変調の一般の動作は、”エンベロープの除去および復元”（ＥＥＲ）送信信号生成とも呼ばれ、当業者にとって周知であり本願明細書において記載されていない。
【００２５】
動作中、送信回路３８は、たとえばシステムコントローラ４０から送信データを受信することに基づいて送信信号パルスを生成する。処理回路４４も、転送のための特定のデータの処理を開始し得る。とにかく、少なくとも１つの動作モードで、送信データは、パルス整形フィルタ１２に通過させられ、その結果、不要な振幅変調が回路１０によって除去あるいは低減され得る送信信号パルスの形成に使用される。本願明細書において既に述べたように、この種の状況は、移動端末３０がＧＳＭ／ＥＤＧＥで動作するよう構成され、パルス整形フィルタ１２が線形化ＧＭＳＫパルスおよび８ＰＳＫパルスの双方にフィルタをかけるために帯域幅その他に関して構成され、線形化ＧＭＳＫパルスは公称上の一定振幅の生成されたパルスの部分の間にリンギングやその他のＡＭ偽信号を含み得る場合に発生し得る。
【００２６】
図５は、極性変調構成のプロセッサ回路４４の例示的実施形態を示す。送信データは、同相位相および直交位相の変調シンボル値（ＩＳＹＭおよびＱＳＹＭ）を生成するシンボルマッパー５２にパススルーされ、アップサンプリングされた同相位相および直交位相の変調シンボル値（ＩＳＹＭ’およびＱＳＹＭ’）を提供するためにアップサンプラ５４にパススルーされる（ここで、アップサンプリングは引き続くフィルタリング動作を補助する。）。
【００２７】
一方、これらのアップサンプリングされた値は、所望の送信信号パルス形状に対応する生成されたパルス値を生成するために、パルス整形フィルタ１２にパススルーされる。これらの生成されたパルス値は回路１０へ入力され、ここでは制御回路６０およびコンパレータ６２を含む。回路１０は、更に、極性コンバータ６４、ディジタルフィルタ６６およびデジタルアナログコンバータ（ＤＡＣ）６８を含むかあるいは接続される。
【００２８】
極性コンバータ６４は到来するパルス値を対応する位相および振幅値に分け、それは正規化された位相および振幅値であってもよい。デジタルフィルタ６６は、分離された位相および振幅値を受信して、フィルタをかけ、以降の送信信号生成のためパスする。通常、デジタルフィルタ６６によって操作される位相値はパルス整形フィルタ１２によって出力された実際の位相値であるが、デジタルフィルタ６６によって操作される振幅値はパルス整形フィルタ１２からの回路１０によってパススルーされた実際の位相値あるいは回路１０によって置換された所定の振幅値の何れかを含む。
【００２９】
たとえば、移動端末３０が、各々が異なる変調方式を有する少なくとも２つの通信モードで構成されるとみなす。制限されない実施例として、移動端末３０は、第１のモードにおいてＧＭＳＫ変調を使用し、第２のモードにおいて８ＰＳＫ変調を使用するよう構成され得る。（この種のモーダル動作はＧＳＭ／ＥＤＧＥ端末で見出されるが、当業者は本発明がこの種の実施例に限られていないと理解するであろう。）ＧＭＳＫモードでの動作では、端末３０は、送信機３８においてパルス整形フィルタ１２を介して線形化ＧＭＳＫパルスを生成するためにプロセッサ回路４４を使用する。
【００３０】
パルス整形フィルタ１２によって生成されるパルス値は、どの生成されたパルス値が所望の送信パルス形状の公称上一定振幅部分に対応するかを制御回路１０が識別することができるようにコンパレータ６２により”監視”される。たとえば、線形化ＧＭＳＫのコンテキストにおいて、公称上の送信パルス形状が、上昇する振幅開始部分、公称上一定振幅の中間部分、そして、下降する振幅終了部分を含むことを理解するために、図２Ａおよび図２Ｂを参照することが出来る。
【００３１】
したがって、コンパレータ６２は、所望の送信パルス形状の中間部分の所望の振幅値に対応するレベルにセットされ得る振幅閾値情報を受信（あるいは格納）するよう構成され得る。この構成において、それから、極性コンバータ６４によって提供される分離された（実際の）振幅値は、設定済みの振幅閾値と比較するためのコンパレータ６２へ入力される。閾値以下の実際の振幅値（すなわちパルスの上昇および下降部分に対応する振幅値）は送信信号の生成に使用される出力振幅値として（デジタルフィルタ６６を介したフィルタリングの後）制御回路６０にパススルーされる。しかしながら、コンパレータ６２によって検出された所望の振幅閾値を上回る実際の振幅値は、制御回路６０によりブロックされており、送信信号の生成での使用のために（デジタルフィルタ６６を介したフィルタリングの後）置換された所定の振幅値を出力する。
【００３２】
より確実に上昇端〜中間および中間〜下降端のパルス遷移を検出し、中間のパルス部分の実際の振幅値のリンギングに反応しないために、コンパレータ６２がヒステリシスの所望の量によって構成され得る点に注意する。あるいは、中間のパルス部分のパルス整形フィルタ１２により出力された実際の振幅値の最低値であってもコンパレータ閾値を上回るように設定済みの振幅閾値は十分に低くセットされ得る。もちろん、当業者は、目的がパススルーされるべき振幅値および置換情報と交換されるべき振幅値の高信頼の検出を達成する他の構成が可能であることを理解するであろう。更に、当業者は、この種の検出動作は必要に応じて他の送信パルス形状に変形され得ることを理解するであろう。
【００３３】
さらに、制御回路６０およびコンパレータ６２はデジタル領域において好ましくは動作することを理解するであろう。限定的でない実施例として、パルス振幅情報は、１２ビットデジタル量を使用して符号付きの−２０４８〜＋２０４７の範囲として生成され得る。１５００の値が線形化ＧＭＳＫパルスの一定振幅部分の公称上振幅を表すと仮定するならば、コンパレータ６２は、極性コンバータ６４からの実際の振幅値がこの値以下となるときを検出し、それに対して制御回路６０に信号を送るよう構成され得る。次に、制御回路６０は、閾値を上回るとして検出された全ての実際の振幅値を固定値である１５００（あるいは他の値）に置換し得る。もちろん、当業者は、この種の数値の範囲および動作の詳細が必要に応じて変更されるかまたは特定の設計のために要求される実装の問題であると理解するであろう。
【００３４】
加えて、図５に見られるように、制御回路６０が動作の制御に使用するモード制御信号あるいは他のタイプの指標を受信し得る。例えば、制御回路６０は、振幅情報の選択的な置換をあるモードでは実行し他のモードでは実行しない（すなわち、ＧＭＳＫ変調モードでは実行し非ＧＭＳＫ変調モードでは実行しない）よう構成しても良い。同様に、デジタルフィルタ６６はモーダル動作のため、出力される振幅値に対するローパスフィルタリングをあるモードでは実行し他のモードでは実行しないよう構成され得る。すなわち、フィルタ６６は、制御回路６０が選択的な振幅置換を実行するモードでフィルタをかけ、制御回路６０が単に実際の振幅値をパススルーする場合フィルタをかけないよう構成され得る。
【００３５】
出力される振幅値に対するフィルタリング（すなわち、送信信号の生成において送信信号生成回路１４によって使用される振幅値）は、制御回路６０の振幅置換動作がアクティブな場合に特に有益である。すなわち、所与の送信信号パルスの一部の生成された（実際の）振幅値を所定の振幅値に置換することにより、より高い周波数スペクトル成分の付随する増加部分を有するパルス振幅情報の機能的な不連続を招く。したがって、振幅値フィルタリングは、望ましい。典型的なディジタルフィルタ６６は、一層のスペクトル制御のための送信信号の生成に先立って位相値にフィルターをかけるためにローパスフィルタを更に含み、この種のフィルタリングはモーダルであっても非モーダルであってもよい。
【００３６】
そして、一般に、コンパレータ６２は１つ以上の設定済みの振幅閾値によって構成され得、それはデジタルの絶対値であり得る。そして、どの生成された振幅値が所望の送信信号パルス形状の公称上一定振幅の部分に対応するかについて識別するために使用し得る。コンパレータ６２は、この種の識別に応答して制御回路６０に信号を送る。そうすると、制御回路６０は所定の振幅情報の選択的な置換を実行する。すなわち、制御回路６０は、送信パルスの非定値の振幅部分に対応するパルス値に対しては極性コンバータ６４（または無極性変調構成におけるパルス整形フィルタ１２）からの実際の振幅情報をパススルーして、送信パルスの一定振幅部分に対応するパルス値に対しては好ましくは平坦な所定の振幅情報と置換する。
【００３７】
典型的なＡＭ低減回路１０は、振幅動作の選択的な置換をあるモードでは実行し、他のモードでは実行しないようモーダル的に動作するよう構成され得る。さらに、この種の動作は、好ましくはデジタル領域において実行されるが、この種の動作の全部または一部をアナログ領域において実行され得る。例えば、制御回路６０、コンパレータ６２および選択された他の回路素子は、アナログ回路であってもよい。そして、一般に、上述の考察は、本発明を制限することは無い。実際、本発明は、請求項およびそれらの合理的な等価物のみによって制限される。
【図面の簡単な説明】
【００３８】
【図１】本発明の１つ以上の実施例に従って構成された典型的な振幅変調（ＡＭ）低減回路の図である。
【図２Ａ】典型的なＡＭ低減動作の前における生成されたパルス値の図である。
【図２Ｂ】典型的なＡＭ低減動作の後における生成されたパルス値の図である。
【図３】生成された送信信号パルスのＡＭ低減を実施するための典型的な処理ロジックの図である。
【図４】本発明のＡＭ低減回路を含む典型的な移動端末の図である。
【図５】図４の移動端末の送信回路で用いられ得る典型的なＡＭ低減回路の図である。
【図１】
2007537636.tif 000003
【図２Ａ】
2007537636.tif 000004
【図２Ｂ】
2007537636.tif 000005
【図３】
2007537636.tif 000006
【図４】
2007537636.tif 000007
【図５】
2007537636.tif 000008
【手続補正書】
【提出日】平成18年3月13日(2006.3.13)
【手続補正１】
【補正対象書類名】特許請求の範囲
【補正対象項目名】請求項２６
【補正方法】変更
【補正の内容】
【請求項２６】
無線通信のネットワークに使用される移動局であって、該移動局は、
前記ネットワークに通信信号を送信し、該ネットワークから通信信号を受信する送受信機を含み、
該送受信機は、所望の送信パルス形状に対応する入力パルス値を取得するよう構成されたパルス整形フィルタと、送信信号パルスの生成に用いられる１つ以上の前記入力パルス値の所定の振幅情報で実際の振幅情報を選択的に置換することに基づいて出力パルス値を生成することにより送信信号パルスの不要な振幅変調を低減するよう構成された送信回路を含むことを特徴とする。
【手続補正２】
【補正対象書類名】特許請求の範囲
【補正対象項目名】請求項２９
【補正方法】変更
【補正の内容】
【請求項２９】
前記ＧＭＳＫモードでの動作において、前記送信回路は、前記ＧＭＳＫ信号パルスの一定振幅部分に対応する実際の振幅値に対して、前記パルス整形フィルタを介して取得した実際の振幅値の代わりに所定の振幅値で置換するよう構成されることを特徴とする請求項２７に記載の移動局。
【手続補正３】
【補正対象書類名】特許請求の範囲
【補正対象項目名】請求項３０
【補正方法】変更
【補正の内容】
【請求項３０】
前記送信回路は、前記移動局に含まれる送信機の一部を含んでおり、前記送信機は極性変調送信機を含んでおり、
該極性変調送信機は、対応するパルス値を取得するために送信データ信号を前記パルス整形フィルタに通過させ、前記パルス値を位相値および振幅値に分離することを特徴とする請求項２７に記載の移動局。
【手続補正４】
【補正対象書類名】明細書
【補正対象項目名】０００４
【補正方法】変更
【補正の内容】
【０００４】
たとえば、ＥＤＧＥ（Enhanced Data rates through GSM Evolution）標準は、８ＰＳＫ変調方式を採用することによりＧＳＭベースの網にデータレート増加のメカニズムを提供する。したがって、ＧＳＭ／ＥＤＧＥ端末は、その動作モードに従ってＧＭＳＫおよび８ＰＳＫ信号を生成することを必要とする。８ＰＳＫ変調は本質的に線形であるので、この種の端末は線形信号処理素子を含まなければならず、したがって、線形化ＧＭＳＫ信号方式を採用することにより少なくともいくらかの処理素子の再利用をすることが出来る。
【手続補正５】
【補正対象書類名】図面
【補正対象項目名】図１
【補正方法】変更
【補正の内容】
【図１】
2007537636.tif 000009
【手続補正６】
【補正対象書類名】図面
【補正対象項目名】図５
【補正方法】変更
【補正の内容】
【図５】
2007537636.tif 000010
【国際調査報告】
2007537636.tif 000011
2007537636.tif 000012
2007537636.tif 000013